(57)【要約】【課題】養殖ホタテ貝の洗浄装置において、２〜３年貝の古貝の殻表面に付着している付着生物を剥離せしめる洗浄が、貝割れを生ぜしめすに、効果的に行えるようにする。【解決手段】機枠１に、筒壁２ａに多数の篩穴２２…を開設したドラム２を、横倒しの姿勢として回転自在に軸支し、そのドラム２の内部空間内に、帯板をリボンスクリュー状に成形し、回転軸４０から放射状に突出するステー４１…に支持せしめた螺旋翼４を、配位して、それの回転軸４０の軸端部を機枠１に設けた軸受部材１４に支架して機枠１に回転自在に軸支し、ドラム２と螺旋翼４とを、駆動手段Ｕにより各別に、かつ、ドラム２が螺旋翼４より速い回転速度で回転するように駆動する。【選択図】        図６
2004329083.tif 000002
【特許請求の範囲】
【請求項１】
機枠１に、筒壁２ａに多数の篩穴２２…を開設したドラム２を、横倒しの姿勢として回転自在に軸支し、そのドラム２の内部空間内に、帯板をリボンスクリュー状に成形し、回転軸４０から放射状に突出するステー４１…に支持せしめた螺旋翼４を、配位して、それの回転軸４０の軸端部を機枠１に設けた軸受部材１４に支架して機枠１に回転自在に軸支し、ドラム２と螺旋翼４とを、駆動手段Ｕにより各別に、かつ、ドラム２が螺旋翼４より速い回転速度で回転するように駆動することを特徴とする養殖ホタテ貝の洗浄装置。
【請求項２】
ドラム２およびそれの内部空間に配位する螺旋翼４を略水平な姿勢として機枠１に軸架して、螺旋翼４をそれの回転によりドラム２内のホタテ貝を投入口２０側から排出口２１側に移送する正回転の方向に遅い速度で駆動回転せしめ、ドラム２を早い速度で駆動回転させることを特徴とする請求項１記載の養殖ホタテ貝の洗浄装置。
【請求項３】
ドラム２およびそれの内部空間に配位する螺旋翼４を、略水平な姿勢として機枠１に軸支して、螺旋翼４をそれの回転によりドラム２内のホタテ貝を投入口２０側から排出口２１側に移送する正回転の方向に遅い速度で駆動回転せしめ、ドラム２を、螺旋翼４の回転方向と周方向に速い速度で駆動回転させることを特徴とする請求項１記載の養殖のホタテ貝の洗浄装置。
【請求項４】
ドラム２の内部空間に配位して機枠１に軸架する螺旋翼４を、それの外径がドラム２の筒壁２ａの内径寸法より僅かに小径となる寸法に設定して、螺旋翼４の外周面がドラム２の内周面との間にホタテ貝の殻の厚さより狭い間隔を形成してドラム２の内周面と対向するようにすることを特徴とする請求項１記載の養殖ホタテ貝の洗浄装置。
【請求項５】
ドラム２の一端側の外周面に、チエン２４を巻き付けて装着し、これと噛み合うスプロケット２５を機枠１に軸支し、そのスプロケット２５を駆動手段Ｕにより駆動して、ドラム２を駆動せしめることを特徴とする請求項１記載の養殖ホタテ貝の洗浄装置。
【発明の詳細な説明】
【０００１】
【発明が属する技術分野】
本発明は、養殖したホタテ貝を出荷する際に、養殖の期間中にそのホタテ貝の貝殻の表面に付着して生長している他の貝類を、剥離せしめて、出荷するホタテ貝の殻の表面を、他の貝類の付着生物が無いように洗浄する養殖ホタテ貝の洗浄装置に関する。
【０００２】
【従来の技術】
ホタテ貝の養殖は、通常、春に産卵させ孵化させた稚貝を養殖篭において中間育成し、次年度の春にこれを引き上げ、養殖篭から稚貝を取り出し、それの殻ａの耳に図１にあるようにアゲピンｂを取り付け、そのアゲピンｂを吊り縄ｃに多段に並列させて耳吊り連結し、これを海中に図２にあるように吊り下げて育成し、その年の初夏から新貝として収穫し出荷する。新貝として出荷されない貝は、秋期に耳吊りの状態のまま、海上において、船に搭載した洗浄機で、殻の表面に付着し寄生している他の貝類などの付着生物を剥ぎ落とす洗浄を行い、再度海中に垂下して育成し、次年度に古貝として出荷する。
【０００３】
本発明において対象とするホタテ貝の洗浄装置は、一年貝を新貝として出荷する際に行う殻の外面に付着している付着生物を剥離除去するための洗浄と古貝（２〜３年貝）を出荷する際に殻の外面に付着している付着生物を剥離除去するための洗浄とに用いる洗浄装置である。
【０００４】
この養殖ホタテ貝を出荷する際に、それの殻の外面に付着して生育している他の貝類の付着生物を剥離させるために用いる養殖ホタテ貝の洗浄装置としては、本願の出願人が特開平２００１−１６２１７号として出願しているホタテ洗浄装置がある。
【０００５】
このホタテ洗浄装置は、図３・図４・図５にあるように、船上または陸上の所望の場所に据え付けて設置し得るよう形成した機枠１に、軸方向に長いドラム状に形成した円筒状のドラム２を、それの軸心線が、一端側に向けて下降する少し傾斜した姿勢として自在に回転するよう機枠１に設けた転輪１０に支架し、機枠１の外面側に組み付けておく駆動モータＭの出力軸と、伝導輪３０および伝動ベルト３１を介し伝導して、その駆動モータＭの駆動によりドラム２をそれの軸心線を中心に、図４において矢印に示す一方向に回転するようにする。
【０００６】
この円筒状のドラム２は、それの軸心線の傾斜下降側の開放口を、ホタテ貝の投入口２０として、これに臨む機枠１の前面側（図５において左面側）に、ホタテ貝の供給用のホッパ１１を固定装着して、このホッパ１１に投入するホタテ貝が円筒状のドラム２の一端側の開放口により形成される投入口２０から円筒状のドラム２の内部空間に供給されていくようにする。
【０００７】
この円筒状のドラム２は、それの筒壁２ａを、ホタテ貝の表面から剥離させる付着生物を漏下させる篩穴２２を、多数形設した目抜板状に形成し、その筒壁２ａの内面には、ドラム２内部に投入されたホタテ貝を排出口２１に搬送させるコンベアとする螺旋翼４を固定装着してく。この螺旋翼４は、円筒状のドラム２が前述の矢印で示した方向に駆動されて回転したときに、この円筒状のドラム２と共に回転することで、投入口２０から該円筒状のドラム２の内部空間に投入されるホタテ貝を、円筒状のドラム２の他端側の開口端により形成した排出口２１に向けて搬送していく向きに巻かれた形態のものに形成しておく。
【０００８】
そして、排出口２１の外面側には、そこから、前述の螺旋翼４により搬送されてくるホタテ貝を誘導して排出させる排出樋１２を配位して機枠１の後面側に固定装着しておき、また、円筒状のドラム２の内部空間の上部側に寄せた部位には、ポンプの吐出口に接続する散水器５を配位して機枠１に固定支架しておき、これにより、円筒状のドラム２を駆動回転させ、散水器５から洗浄水を供給させている状態において、ホッパ１１からホタテ貝を供給することで、そのホタテ貝が円筒状のドラム２の内部において、円筒状のドラム２の回転によって、ドラム２の筒壁２ａの内面でせり上げられて落下する動作を繰り返しながら螺旋翼４により排出口２１側に送られ、この間においてホタテ貝同志のもみあいによる殻の摺擦によりホタテ貝の殻の表面に付着して生育している付着生物が剥離し、その剥離した付着生物が、洗浄水と共に、円筒状のドラム２の筒壁２ａに設けた多数の篩穴２２から漏下し、殻の外面から付着生物が剥離して洗浄されたホタテ貝が、排出口２１から排出されてくるようにしているものである。
【０００９】
【発明が解決しようとする課題】
上述の従前のホタテ貝の洗浄装置は、一年貝の新貝を対象として洗浄すると、その効果が極めて良好で、殻の表面に付着して生育している他の貝類の付着生物の殆どの剥離・除去が行えるようになるが、２〜３年貝の古貝を対象とすると、古貝に付着している付着生物が経年により生長して大きくなっていることと、生長による成熟でホタテ貝の殻に対する付着力が強固になってきていることで、付着生物が剥離しないで残るようになって、洗浄効果が著しく低くなる問題がある。
【００１０】
また、ホタテ貝の供給量を増やし、円筒状のドラム２の内部に滞留するホタテ貝の量を多くしてホタテ貝同志の摩擦を大きくすることで、洗浄効果を上げようとすると、ホタテ貝の殻が割れる貝割れが多くなって、歩どまりを悪くする別の問題がでてくる。
【００１１】
本発明は、従前手段に生じている上述の問題を解消するためになされたものであって、２〜３年貝の古貝の殻表面に付着している付着生物を剥離せしめる洗浄が、貝割れを生ぜしめすに、効果的に行えるようにする新たな養殖ホタテ貝の洗浄装置を提供することを目的とする。
【００１２】
【課題を解決するための手段】
しかして、本発明は、上述に目的を達成するために、種々の試行を重ねて得られた知見に基づいてなされたものである。
【００１３】
即ち、上述の筒壁２ａの内壁面に螺旋翼４を装設した円筒状のドラム２を用いる養殖ホタテ貝の洗浄手段において、洗浄効果を上げるために、円筒状のドラム２の内部空間に滞留させるホタテ貝の量を増やすと、貝割れを多く発生させるようになるのが、ホタテ貝同志の接触圧が高くなることによることが判ってきたところから、供給する３年貝のホタテ貝の量は増大させずに、ドラム２を、それの筒壁２ａが六角または八角となる角筒状に形成して、ドラム２の回転時の筒壁２ａ内面によるホタテ貝のせり上げを良くし、従前機（現状機）の円筒状のドラム２と対比するテストを行い、その結果を、４人の判定者に、判定基準を、次記の〔ａ：良く洗浄された〕〔ｂ：少し洗浄された〕〔ｃ：洗浄されなかった〕ａ〜ｃの３ランクとして判定させたところ、
【表１】
2004329083.tif 000003
となり、ドラム２を角筒状に形成して、それの回転によりホタテ貝をせり上げていく効率を良くしても、洗浄効果が得られないことが判った。
【００１４】
このことから、ドラム２の内壁面に装着する螺旋翼４の、ドラム内面からの突出高さを、高・中（現状）低に変化させた場合と、ドラム２を、投入口２０の側から排出口２１に向けて昇り勾配として機枠１に支架する傾斜角度を、高角度と現状角度と低角度とに変化させた場合と、ドラム２の回転速度を、高・中（現状）・低とに変化させた場合とについての実験を行い、その結果を、前述と同様に４人の判定者に判定させたところ、その結果は、次の表２・表３・表４にある通りで、すべての場合において、洗浄効果が、現状のものと変わらず、効果をあげ得ないものとなり、螺旋翼４の送り作動は、ホタテ貝の洗浄に殆ど関与しないことが判ってきた。
【表２】
2004329083.tif 000004
【表３】
2004329083.tif 000005
【表４】
2004329083.tif 000006
【００１５】
そこで、現状の従前機をベースにして改善する発想を転換して、円筒状のドラム２とそれの内周側に設ける螺旋翼４とを、別体に形成して、それぞれが独立して回転するように機枠１に軸支し、かつ、それぞれが正転・逆転の何れの方向にも駆動回転し得るようにしておき、３年貝の古貝を対象として螺旋翼４を、ホタテ貝を排出口２１に向け搬送する搬送方向に回転させた状態において、ドラム２を螺旋翼４の回転方向と逆方向に回転させた場合と、螺旋翼４を速く回転させ、ドラム２を遅く回転させた場合と、螺旋翼４の回転速度を遅くし、ドラム２の回転速度を速くした場合とについて実験を行い、その結果を同様に４人の判定者に判定させたところ、次記の表５・表６・表７に示す結果となった。
【表５】
2004329083.tif 000007
【表６】
2004329083.tif 000008
【表７】
2004329083.tif 000009
【００１６】
この実験の結果から、螺旋翼４は、ホタテ貝の殻の表面の付着生物を剥離除去する洗浄作用には殆ど関与せず、洗浄作用は、ホタテ貝がドラム２の回転に伴い、回転方向にせり上げられて落下してくるときのホタテ貝同志の殻の摺擦により行われていること、そして、このせり上げと落下との作用を多く受けるほど、洗浄効果が上がり、螺旋翼４の回転を遅くして送りを緩やかにしてドラム２による攪拌を多く受けるようにしたときには、充分な洗浄が得られることが判ってきた。
【００１７】
そして、このことから、本発明手段においては、上述の目的を達成するための手段として、請求項１に記載したように、機枠１に、筒壁２ａに多数の篩穴２２…を開設したドラム２を、横倒しの姿勢として回転自在に軸支し、そのドラム２の内部空間内に、帯板をリボンスクリュー状に成形し、回転軸４０から放射状に突出するステー４１…に支持せしめた螺旋翼４を、配位して、それの回転軸４０の軸端部を機枠１に設けた軸受部材１４に支架して機枠１に回転自在に軸支し、ドラム２と螺旋翼４とを、駆動手段Ｕにより各別に、かつ、ドラム２が螺旋翼４より速い回転速度で回転するように駆動することを特徴とする養殖ホタテ貝の洗浄装置を提起するものである。
【００１８】
そして、これに併せて、ドラム２およびそれの内部空間に配位する螺旋翼４を略水平な姿勢として機枠１に軸架して、螺旋翼４をそれの回転によりドラム２内のホタテ貝を投入口２０側から排出口２１側に移送する正回転の方向に遅い速度で駆動回転せしめ、ドラム２を早い速度で駆動回転させることを特徴とする請求項１記載の養殖ホタテ貝の洗浄装置と、
ドラム２およびそれの内部空間に配位する螺旋翼４を、略水平な姿勢として機枠１に軸支して、螺旋翼４をそれの回転によりドラム２内のホタテ貝を投入口２０側から排出口２１側に移送する正回転の方向に遅い速度で駆動回転せしめ、ドラム２を、螺旋翼４の回転方向と周方向に速い速度で駆動回転させることを特徴とする請求項１記載の養殖のホタテ貝の洗浄装置と、
ドラム２の内部空間に配位して機枠１に軸架する螺旋翼４を、それの外径がドラム２の筒壁２ａの内径寸法より僅かに小径となる寸法に設定して、螺旋翼４の外周面がドラム２の内周面との間にホタテ貝の殻の厚さより狭い間隔を形成してドラム２の内周面と対向するようにすることを特徴とする請求項１記載の養殖ホタテ貝の洗浄装置と、
ドラム２の一端側の外周面に、チエン２４を巻き付けて装着し、これと噛み合うスプロケット２５を機枠１に軸支し、そのスプロケット２５を駆動手段Ｕにより駆動して、ドラム２を駆動せしめることを特徴とする請求項１記載の養殖ホタテ貝の洗浄装置とを提起するものである。
【００１９】
【発明の実施の形態】
次に本発明の実施の態様を、図面に随い実施例について詳述する。
図６は、本発明手段を実施せる養殖ホタテ貝の洗浄装置Ａの側面図、図７は同上の平面図、図８は同上の縦断側面図で、これら図において、１は機枠、２はこれに横架軸支した円筒状のドラム、４はこのドラム２の内部空間内に配位して機枠１に軸支した螺旋翼、Ｕはドラム２および螺旋翼４を駆動回転させる駆動手段、５はドラム２内に配設した散水器を示している。
【００２０】
機枠１は、船上、または陸上の所望の場所に据え付け得る適宜の形状に組み立てる。
【００２１】
図示する実施例にあっては、台枠状に組み立てて、左右の両側面と上面とに、機壁を組み付けて、前後の両面の下半側と下面側が開放する箱状に組み立ててあって、かつ、該機枠１の前後の底部には、この機枠１の内部に横架軸支する円筒状のドラム２の傾斜角度を調節するために、下方への突出長さの調節を自在にした脚注１３…が装設してあり、また、該機枠１の前面側（図において左面側）には、洗浄するホタテ貝を供給するホッパ１１を装設し、後面側には、洗浄し終えたホタテ貝を取り出す排出樋１２を装設している。
【００２２】
ドラム２は、軸方向に長い筒状に形成してあればよく、多角筒状・円筒状等の適宜の形状の筒状に形成してよいが、図示する実施例においては、鋼板よりなるリング状のフランジ２３を、軸方向に多連に並列して、これらの内周側に、ホタテ貝の殻外面から剥落させた付着生物を篩い落とす多数の篩穴２２…を開設した鋼板よりなる筒壁２ａを、円筒状に成形して嵌挿し、そのフランジ２３…に熔接してそれに補強させることで、円筒状に形成してあり、それの軸方向の両端部の外周には、リング状のガイドレールを設けて、これを、機枠１に軸支しておく転輪１０…に支架せしめることで、機枠１に対し軸線方向が横方向となる横倒しの姿勢として回転自在に軸架してある。
【００２３】
このドラム２は、軸方向の長さが約１３００ミリで、内径は約６００ミリであり胴周壁の筒壁２ａに開設した多数の篩穴２２…の口径は約６５ミリである。
【００２４】
このドラム２の内周側に配設せる螺旋翼４は、鋼板よりなる巾が約１００ミリの帯板を、図９にあるように、略３００ミリのピッチでリボンスクリュー状に螺旋に巻き、それの軸心線を通る回転軸４０から、軸方向に所定の間隔をおいて放射方向に突出させたステー４１…の各先端に、螺旋翼４の内周縁を熔接することで組み立て、その回転軸４０の前後の前端部を、機枠１の前面側および後面側で、前述のドラム２の軸心線と対応する部位に設けた軸受部材１４・１４に軸支することで、ドラム２の内部空間において回転軸４０中心に回動するよう機枠１に軸支してある。
【００２５】
この螺旋翼４は、それの外周面と前述のドラム２の筒壁２ａの内周面との間に、洗浄するホタテ貝の殻が噛み込んで貝割れを生ぜしめることがないようにするため、それの外周面とドラム２の筒壁２ａの内周面との間の間隔がホタテ貝の殻の厚さより狭くなるように、それの外径寸法をドラム２の内径寸法よりも僅かに小径となるよう設定している。この寸法は、実施例では、５９６ミリとして、内径が６００ミリのドラム２の内周面との間に２ミリ程度の間隙が形成されるようにしている。
【００２６】
機枠１に装架した駆動手段Ｕは、上述した如く、それぞれを別体に形成したドラム２と螺旋翼４とを、それぞれ独立して回転させるよう駆動させるためのもので、電動モータ、エンジン等の適宜の動力源を用いてよいが、この実施例においては、機枠１の上面側に、エンジン６０とそれにより作動する油圧ポンプ６１と、その油圧ポンプ６１から吐出して図１０の油圧回路図に示す回路を経てタンクＴに戻る油の圧力により作動する油圧モータ６２・６３と、油圧回路を制御する制御弁６４とで構成している。
【００２７】
そして、螺旋翼４にあっては、それの回転軸４０の一端側に、油圧モータ６３を直装して、直結的に油圧モータ６３により駆動するようにし、ドラム２にあっては、それの一端側の外周に、チエン２４を巻き付け、これに噛み合うスプロケット２５を、機枠１に軸支しておいて、そのスプロケット２５の軸に、別に油圧回路に接続させておく油圧モータ６２の出力軸を伝動機構を介し伝導することで駆動するようにしている。
【００２８】
この螺旋翼４およびドラム２の駆動は、電源が近くに求められる場合にあっては、電動モータを用いて行ってよく、また、油圧により駆動させる場合にあっても、据え付ける養殖ホタテ貝の洗浄装置Ａの近くに、油圧装置が有る場合にあっては、その油圧装置の油圧回路から導く圧油により駆動するようにしてよい。
【００２９】
しかして、この螺旋翼４とドラム２とを駆動手段Ｕによりそれぞれ別個に駆動するのは、養殖ホタテ貝の殻の表面に付着して生長した付着生物を剥落させる作用が、ドラム２の回転によりホタテ貝をせり上げて落下させることによるホタテ貝同志の摺擦の作動によって行われ、螺旋翼４による送り作動は洗浄に関与せずむしろ貝割れを生ぜしめる要因となっていることから、螺旋翼４の回転は抑え、ドラム２の回転を増大させるためであるから、螺旋翼４の回転速度に対しドラム２は速く回転するようにする。
【００３０】
図示する実施例の装置においては、螺旋翼４の回転速度は毎分１３回（１３ｒ．ｐ．ｍ）でドラム２の回転速度は毎分６４回（６４ｒ．ｐ．ｍ）であり、ドラム２は螺旋翼４の略５倍の速度で回転するようにしている。
【００３１】
このときの螺旋翼４およびドラム２の回転方向は、正・逆何れの方向に回転させてもよい。
【００３２】
ドラム２をそれの軸心線が、投入口２０の側から排出口２１側に向け下降傾斜する姿勢として機枠１に支架して、投入口２０からドラム２内に投入したホタテ貝が、ドラム２の回転により自然に排出口２１側に流動していくようにしておいて、螺旋翼４を排出口２１側から投入口２０側にホタテ貝を移送していくように逆回転させ、ドラム２を正・逆の何れかの方向に回転させる場合。
【００３３】
また、ドラム２は、それの軸心線が投入口２０側から排出口２１に向け上昇傾斜する姿勢として機枠１に支架して、ドラム２内に投入したホタテ貝がドラム２の回転により投入口２０側に戻るように流動していくようにしておいて、螺旋翼４を投入口２０側から排出口２１側に向けホタテ貝を移送していくように正回転させ、ドラム２を螺旋翼４と同方向の正回転、または逆方向の逆回転の何れかの方向に回転させる場合。
【００３４】
また、ドラム２は、それの軸心線が略水平になる姿勢として機枠１に支架して、ドラム２内に投入したホタテ貝が、ドラム２の回転による軸方向の流動がなくその場においてせり上がりと落下を繰り返すようにしておいて、螺旋翼４を投入口２０側から排出口２１側に向けホタテ貝を移送していくように正回転させ、ドラム２を螺旋翼４と同方向の正回転、または逆方向の逆回転の何れかの方向に回転させる場合、のように適宜に選択してよい。
【００３５】
しかし、上述の各場合において、ドラム２の回転方向は、螺旋翼４の回転方向に対し逆にしたときに、貝割れの発生を多くすることから、螺旋翼４の回転方向と同じ方向にすることが望ましい。
【００３６】
散水器５は、ドラム２内に投入したホタテ貝の洗浄作動の際に、ホタテ貝の殻の表面から剥落した付着生物およびそれの破砕片を、洗い落としてドラム２の筒壁２ａに開設した篩穴２２…からドラム２の下方に流し出す洗浄水を供給するためのもので、ドラム２内の略全域に洗浄水が供給されるようになればよく適宜に構成してよい。
【００３７】
この実施例においては、一端側がポンプＰの吐出口に接続連通するパイプ５０を、ドラム２の外周で、機枠１の内部空間における左右の肩部に位置する部位に、機枠１内を前後に貫通するようにそれぞれ配設し、そのパイプ５０の周壁に、ドラム２の外周の上面側に向けて洗浄水を噴射する透孔５１…を、そのパイプ５０の軸方向に適宜の間隔をおいて多連に開設することで構成してあり、これにより、ポンプＰからパイプ５０内に導かれる洗浄水が透孔５１…からドラム２の外周面に向けて噴射されて、ドラム２の筒壁２ａに開設してある篩穴２２…を介してドラム２内に流入し、ドラム２内の略全域に供給されて、篩穴２２からドラム２の下方に流出していくようにしている。
【００３８】
そして、洗浄水を供給するポンプＰには、この例においては、毎分１２０立の出水能力のものが使用されている。
【００３９】
【発明の効果】
以上説明したように、本発明手段は、ドラム２とそれの内周側に配設する螺旋翼４とを別体に形成して、ドラム２は速く回転させ、螺旋翼４は遅く回転させるようにして、ドラム２内に供給したホタテ貝が、ドラム２の回転によるせり上げと落下の作動を多く受けるようにしているのだから、古貝を貝割れを生ぜしめずに、それの殻の外面に付着して生長した付着生物を効果的に剥落除去せしめ得るようになる。
【図面の簡単な説明】
【図１】養殖したホタテ貝の稚貝を吊縄に耳吊りする説明図である。
【図２】取吊りしたホタテ貝を海中に設置した垂下式養殖施設に吊り下げた状態の説明図である。
【図３】従前の養殖ホタテ貝の洗浄装置の縦断側面図である。
【図４】同上の縦断正面図である。
【図５】同上の縦断後面図である。
【図６】本発明手段を実施せる養殖ホタテ貝の一部破断した側面図である。
【図７】同上の平面図である。
【図８】同上の一部破断した後面図である。
【図９】同上の螺旋翼の斜視図である。
【図１０】駆動手段の油圧回路の展開図である。
【符号の説明】
Ａ…洗浄装置、Ｐ…ポンプ、Ｕ…駆動手段、Ｍ…駆動モータ、ａ…殻、ｂ…アゲピン、ｃ…吊り縄、１…機枠、１０…転輪、１１…ホッパ、１２…排出樋、１３…脚注、１４…軸受部材、２…ドラム、２ａ…筒壁、２０…投入口、２１…排出口、２２…篩穴、２３…フランジ、２４…チエン、２５…スプロケット、３０…伝導輪、３１…伝動ベルト、４…螺旋翼、４０…回転軸、４１…ステー、５…散水器、５０…パイプ、５１…透孔、６０…エンジン、６１…油圧ポンプ、６２・６３…油圧モータ、６４…制御弁。
【図１】
2004329083.tif 000010
【図２】
2004329083.tif 000011
【図３】
2004329083.tif 000012
【図４】
2004329083.tif 000013
【図５】
2004329083.tif 000014
【図６】
2004329083.tif 000015
【図７】
2004329083.tif 000016
【図８】
2004329083.tif 000017
【図９】
2004329083.tif 000018
【図１０】
2004329083.tif 000019